(57)【要約】【課題】冷蔵庫の扉及びその扉を備えた冷蔵庫に関し、冷蔵庫の扉の外観品位を良好にすることを目的とする。従来の冷蔵庫の扉では、内部にリブ構造を有しているためリブが存在するところは容器の樹脂の厚さが厚くなり、容器の樹脂の厚さが容器表面の位置によって大きく異なることから、樹脂成形における樹脂の収縮時に外観表面にヒケ（微小な凹部）が生じやすい。外観表面にヒケが生じることで外観が劣化し、製品歩留まりが悪化するという問題点があった。【解決手段】前面体９ｃおよびこれを囲む側面体（９ａ、９ｂ、９ｄ）とからなり部分により厚さが異なる樹脂製の箱体９と、この箱体９の外側から前面体９ｃおよび側面体９ｄを覆うパネル１０を備えたものである。【選択図】図４
2008170022.tif 000002
【特許請求の範囲】
【請求項１】
前面体およびこれを囲む側面体とからなり部分により厚さが異なる樹脂製の箱体と、
この箱体の外側から前記前面体および前記側面体を覆うパネルを備えた冷蔵庫の扉。
【請求項２】
パネルは側面体の端面に重ねられる端部を有することを特徴とする請求項１記載の冷蔵庫の扉。
【請求項３】
前面体の内面に対向する開口部を覆う蓋の端部または側面体の端部に設けられた第１の係止部を備え、
この第１の係止部に嵌合する第２の係止部をパネルの端部に有することを特徴とする請求項１記載の冷蔵庫の扉。
【請求項４】
箱体は側面体の端部に設けられた第１の係止部を備え、
パネルはこの第１の係止部に嵌合する第２の係止部を前記パネルの一方の端部に有し、前記パネルの他方の端部が前記側面体の端面に重ねられることを特徴とする請求項１記載の冷蔵庫の扉。
【請求項５】
箱体に充填された発泡断熱材が洩れ出た貫通穴がパネルに近接する前記箱体に複数配置されることを特徴とする請求項１乃至４のいずれか１項に記載の冷蔵庫の扉。
【請求項６】
パネルは前面体を覆う部分の両端に折り曲げ縁部を備え、この折り曲げ縁部に嵌合する溝部を前記前面体が有することを特徴とする請求項１乃至５のいずれか１項に記載の冷蔵庫の扉。
【請求項７】
パネルは前面体を覆う部分の両端に前記前面体の側にコ字形に折り返した縁部を有することを特徴とする請求項１乃至５のいずれか１項に記載の冷蔵庫の扉。
【請求項８】
箱体は、前面体の両側に突出部を有し、かつ前記前面体から側面体に連続する蛇腹を有し、前記パネルが前記突出部に当接することを特徴とする請求項１乃至７のいずれか１項に記載の冷蔵庫の扉。
【請求項９】
背面体およびこれを囲む側面体とからなり部分により厚さが異なる樹脂製の箱体と、
前記背面体と前記側面体との角部に設けられた２つの第１の係止部にそれぞれ嵌合する第２の係止部を端部に有し、かつ前記背面体の内面に対向する開口部及び前記側面体を覆うパネルとを備える冷蔵庫の扉。
【請求項１０】
被貯蔵物を内部に貯蔵する貯蔵室の開閉を行う扉を有する冷蔵庫において、請求項１乃至９のいずれか１項に記載の扉がパネルを外側にして配置されることを特徴とする冷蔵庫。
【発明の詳細な説明】
【技術分野】
【０００１】
この発明は、冷蔵庫の扉及びその扉を備えた冷蔵庫に関するものである。
【背景技術】
【０００２】
従来の冷蔵庫の扉は、外観表面を構成する化粧鋼板と、化粧鋼板の上下に設置する樹脂製キャップ部材と、扉の内側面を構成する内板と、化粧鋼板とキャップの嵌合部に設置され発泡断熱材を注入する時の発泡材の漏れを防止するシール部材とから構成され、組立工程数が多いことが問題であった。
【０００３】
組立工程数を少なくした冷蔵庫の扉が例えば特許文献１に示されている。特許文献１の扉は、合成樹脂にて容器状に形成した射出成形品と、扉の扉内側面を構成する板状部材と、発泡断熱材とから構成され、扉の外観表面は射出成形品の容器の外面で代用していた。
【０００４】
【特許文献１】特開２０００−３２０９５１号公報（第３頁乃至４頁、図６）
【発明の開示】
【発明が解決しようとする課題】
【０００５】
上記のような特許文献１の冷蔵庫の扉では、内部にリブ構造を有しているためリブが存在するところは容器の樹脂の厚さが厚くなる。このため容器の樹脂の厚さが容器表面の位置によって大きく異なり、樹脂成形における樹脂の収縮時に外観表面にヒケ（微小な凹部）が生じやすい。外観表面にヒケが生じることで外観が劣化し、製品歩留まりが悪化するという問題点があった。
【０００６】
この発明は、上述のような課題を解決するためになされたもので、外観品位を良好にした冷蔵庫の扉を得ることを目的とする。
【課題を解決するための手段】
【０００７】
この発明にかかる冷蔵庫の扉は、前面体およびこれを囲む側面体とからなり部分により厚さが異なる樹脂製の箱体と、この箱体の外側から前面および側面を覆うパネルを備えたものである。
【発明の効果】
【０００８】
この発明は、外観品位を良好にした冷蔵庫の扉を得ることができる。
【発明を実施するための最良の形態】
【０００９】
実施の形態１．
図１はこの発明の実施の形態１における扉を備えた冷蔵庫１を示す斜視図である。外箱２の前面には扉３乃至８が設けられている。例えば、扉３及び４は冷蔵室、扉５は製氷室、扉６は切り替え室、扉７は野菜室、扉８は冷凍室といったように種々の温度帯の貯蔵室毎にそれぞれ設置されている。扉６を例にして説明する。図２は扉６を取り付けた貯蔵室を示す斜視図である。図３は図２のＡ−Ａで切断した断面図であり、図４は図２のＢ−Ｂで切断した断面図である。図５は扉６の分解図である。図において、同一の記号は同一のものを示す。扉６は、樹脂製の箱体である容器９と、ステンレス鋼板、化粧鋼板や樹脂化粧板等のパネル１０と、樹脂製の蓋１３と、硬質ウレタンフォーム等の発泡断熱材１５とから構成されている。蓋１３は扉の内側面を構成する内板の役割も果たしている。
【００１０】
パネル１０は容器９に嵌着されている。１１は食品等の貯蔵物を貯蔵する容器、１２は扉６と貯蔵容器１１をそれぞれ固定するフレームである。蓋１３は後述するガスケットを取り付ける溝部１４を有している。扉６は前面体９ｃを鉛直方向に立てた状態で冷蔵庫１に設置される。この状態における扉６の外観は、上面及び下面がそれぞれ容器９の上の側面体９ａと下の側面体９ｂで構成され、前面及び側面がそれぞれパネル１０の前面１０ｃ及び側面１０ｄで構成される。パネル１０の側面１０ｄ及び前面１０ｃがそれぞれ容器９の左右の側面体９ｄ及び前面体９ｃを覆っている。容器９は、上の側面体９ａ、下の側面体９ｂ及び左右の側面体９ｄからなる側面体が前面体９ｃを囲んで箱体となっている。容器９の前面体９ｃではパネル１０の上部１０ａ及び下部１０ｂの断面は、パネル１０が前面体９ｃを覆う部分の上側および下側に設けられた突出部９ｅで見え難くなっている。左右の側面体９ｄにおける上部から下部への断面は図示しないが、パネル１０の側面１０ｄの上部１０ａ及び下部１０ｂの断面は、パネル１０が左右の側面体９ｄを覆う部分の上側および下側に設けられた突出部９ｅで見え難くなっている。
【００１１】
次に扉６の組立工程について説明する。
工程１：図６（ａ）に示すように、容器９にパネル１０を嵌着させる。パネル１０を撓めて容器９の前面体９ｃの内面に対向する開口部１６の縁部である左右の側面体９ｄの端面に２回折り曲げしたパネル１０の端部１０ｅを重ねると共に引っ掛けて、パネル１０を容器９に嵌着させ、パネル１０で容器９の前面体９ｃ及び容器９の左右の側面体９ｄを覆う。この結果、図６（ｂ）に示すようになる。なお、容器９の左右の側面体９ｄを撓めてパネル１０を容器９に嵌着させることもできる。
【００１２】
工程２：図７に示すように、発泡断熱材１５の原液供給装置１７の供給源１８からホース１９とノズル２０を通じて所定量の発泡断熱材１５の原液１５ａを樹脂製の容器９に供給する。
【００１３】
工程３：図８に示すように、容器９の開口部１６にパネル１０の端部を重ねて形成された開口部から露出する発泡断熱材１５の原液１５ａを覆うように蓋１３を設置する。
【００１４】
工程４：発泡断熱材１５の発泡時の発泡圧力で扉６が変形しないよう外周を治具で固定し（図示せず）、高温炉（図示せず）で加熱し発泡を促進させる。発泡完了後、治具から取り出し、図９に示す扉６を得る。なお発泡断熱材１５のウレタンは樹脂製の容器９、樹脂製の蓋１３に接着して固定する接着材の働きもある。また、発泡断熱材１５のウレタンはアルミニウム、鉄、ステンレス等の金属との接着性も高いので、ステンレス鋼板、化粧鋼板や樹脂化粧板等のパネル１０とも接着する。
【００１５】
図１０に発泡後の扉６に取り付ける部品を示す。扉６に軟質樹脂製のガスケット２１と、フレーム１２を取り付けて、図１１に示すような引き出しを得る。図１２は図１１のＣ−Ｃで切断した断面図である。ガスケット２１は内部に磁石２１ａと、空気層２１ｂと、蓋１３の溝部１４に嵌合するアンカー２１ｃとから構成されている。
【００１６】
以上のような構成の冷蔵庫１の扉６は、発泡断熱材１５を充填する樹脂製の容器９の左右の側面体９ｄ及び前面体９ｃをパネル１０で覆いかぶせる構成としたので、容器９に傷、ヒケ等があったとしてもパネル１０によって隠すことができ、扉６の外観不良を減少させることができる。また、着磁性を有する金属製のパネルを用いる場合は、パネル１０に磁石を付けることができ、利便性が向上する。
【００１７】
以上のように本実施の形態における冷蔵庫１の扉６は、発泡断熱材１５を充填する樹脂製の容器９の左右の側面体９ｄ及び前面体９ｃをパネル１０で覆いかぶせる構成としたので、樹脂製の容器９の傷、ヒケ等が見えてしまう従来の冷蔵庫の扉とは異なり、容器９に傷、ヒケ等があったとしてもパネル１０によって隠すことができ、外観品位を良好にすることができる。
【００１８】
尚、扉６のパネル取り付け構造として、２回折り曲げしたパネル１０の端部１０ｅの例で説明したが、この例に限定されない。図１３は扉６の他のパネル取り付け構造を示す図である。図において、同一の記号は同一のものを示す。図１３（ａ）はパネル１０の端部１０ｅを１回折り曲げし、左右の側面体９ｄの端面に重ねた例である。図１３（ｂ）は左右の側面体９ｄの端部に設けられた凹形状の係止部９ｆにパネル１０の係止部１０ｆを嵌合して、パネル１０を容器９に取り付けた例である。図１３（ｃ）は蓋１３の係止部１３ａと容器９の左右の側面体９ｄの間にパネル１０の係止部１０ｆを嵌合して、パネル１０を容器９に取り付けた例である。ここでパネル１０の係止部１０ｆはパネル１０の端部１０ｅであっても、容器９の係止部９ｆ又は蓋１３の係止部１３ａに嵌合する場合に係止部と呼ぶことにする。
【００１９】
図１３（ｂ）及び（ｃ）の場合は、パネル１０の端部に折り曲げ部がないので、撓め難い材質のパネル１０であっても取り付けられる利点がある。また、それぞれの係止部に凹凸部を設けてもよい。こうすることでパネル１０と容器９の接合力を高めることができる。また、図１３（ｄ）は図４に示したパネル取り付け構造と図１３（ｂ）に示したパネル取り付け構造を備えた例である。以上説明したパネル１０の端部１０ｅの折り曲げ構造、パネル１０の端部１０ｅと嵌合する樹脂製の容器９、蓋１３の構造の組み合わせはこれに限らず種々の組み合わせとしてもよいことは言うまでもない。
【００２０】
実施の形態２．
実施の形態１では、パネル１０を容器９に取り付けてから発泡断熱材１５を充填する方法で組み立てられる扉で説明したが、容器９に入れた発泡断熱材１５を発泡させた後にパネル１０を取り付ける場合であっても扉の外観品位を良好にすることができる。以下に説明する。
【００２１】
図１４はこの発明の実施の形態２における扉の斜視図である。図１５は図１４のＤ−Ｄで切断した断面図であり、図１６は図１４のＥ−Ｅで切断した断面図である。図において、同一の記号は同一のものを示す。パネル１０の端部の折り返した係止部１０ｆを、蓋１３の端部であって容器９の左右の側面体９ｄ寄りに設置した係止部１３ａに嵌合させる構造としたものである。
【００２２】
次に扉の組立工程について説明する。
工程１：図１７に示すように、発泡断熱材１５の原液供給装置１７の供給源１８からホース１９とノズル２０を通じて所定量の発泡断熱材１５の原液１５ａを樹脂製の容器９に供給する。
【００２３】
工程２：図１８に示すように、容器９の開口部１６から露出する発泡断熱材１５の原液１５ａを覆うように蓋１３を設置する。
【００２４】
工程３：発泡断熱材１５の発泡時の発泡圧力で扉が変形しないよう外周を治具で固定し（図示せず）、高温炉（図示せず）で加熱し発泡を促進させる。発泡完了後、治具から取り出し、図１９に示すパネル取り付け前の扉を得る。
【００２５】
工程４：図２０に示すように、パネル１０を撓めて、蓋１３の係止部１３ａに２回折り曲げしたパネル１０の係止部１０ｆを嵌合させ、パネル１０で容器９の前面体９ｃ及び容器９の左右の側面体９ｄを覆う。この結果、図２１に示す扉を得る。
【００２６】
以上のように本実施の形態の扉は、パネル１０を発泡断熱材１５の発泡完了後に取り付けることができるので、発泡治具への設置、取り出し時にパネル表面に傷をつけることがなく、パネル１０の外観不良を減少させることができる。また、冷蔵庫が使用されるにしたがって扉に外観の傷等が発生した場合でも、パネル１０だけを交換することができる。したがってパネル１０のみを交換することができるので、扉の外観品位を良好に保つことができる。
【００２７】
実施の形態３．
実施の形態２では、蓋１３と容器９との組立公差を考慮していたので、図１６における蓋１３の係止部１３ａの溝幅を少し広げる共にパネル１０の係止部１０ｆとパネル１０の側面１０ｄとの距離も長くしていた。このため容器９の左右の側面体９ｄとパネル１０の側面１０ｄとの距離が左右で多少異なることがあり、パネル１０の上部１０ａからこの隙間が見えて扉の外観品位が多少悪くなることがあった。本実施の形態は、容器９に入れた発泡断熱材１５を発泡させた後に容器９に設けた係止部９ｆにパネル１０の係止部１０ｆを嵌合させ、パネル１０の設置公差を小さくすることで、実施の形態２に比べて扉の外観品位を良好にすることができる。以下に説明する。
【００２８】
図２２はこの発明の実施の形態３における扉の横断面図であり、図において、同一の記号は同一のものを示す。パネル１０の端部の折り返した係止部１０ｆを、容器９の開口部１６の縁部であって容器９の左右の側面体９ｄ寄りに設置した係止部９ｆに嵌合させる構造としたものである。蓋１３の端部は、容器９の係止部９ｆに重ならないような外形寸法で構成する。なおこの扉の組立工程は、実施の形態２で説明した工程と基本的に同じであるので説明を省略する。
【００２９】
本実施の形態の扉は、パネル１０を蓋１３に重ならないような構造としたので、蓋１３と容器９との組立公差を考慮する必要がなくなる。したがって、パネル１０の係止部１０ｆと容器９の係止部９ｆとの設置公差を小さくすることができ、パネル１０の側面１０ｄと容器９の左右の側面体９ｄとの隙間を小さくすることができる。これによりパネル１０の上部１０ａからこの隙間が見えなくなり、扉の外観品位を向上させることができる。
【００３０】
尚、容器９の開口部１６及び蓋１３を貯蔵室１１の内側面になるようにした構造で説明したが、容器９の開口部１６及び蓋１３をパネル１０の前面１０ｃで覆う場合であっても構わない。図２３及ぶ図２４は図２の配置におけるＡ−Ａで切断した縦断面図及びＢ−Ｂで切断した横断面である。同一の記号は同一のものを示す。容器９の係止部９ｆを底面体である背面体９ｇと左右の側面９ｄとの角部に設けたので、パネル１０の係止部１０ｆと容器９の係止部９ｆとの設置公差を小さくすることができる。またパネル１０で容器９の左右の側面体９ｄを覆うようにしたので、左右の側面体９ｄにできた傷、ヒケ等を隠すことができ、扉の外観不良を減少させることができる。
【００３１】
実施の形態４．
今まで容器９に貫通穴がない場合で説明したが、容器９に貫通穴を設けることでこの貫通穴から漏れ出した発泡断熱材１５によってパネル１０と容器９を密着することで、パネル浮きが低減でき、扉の外観品位を向上させることができる。以下に説明する。
【００３２】
図２５及び図２６はこの発明の実施の形態４における扉の分解図及び横断面図であり、図において、同一の記号は同一のものを示す。２２は容器９に複数個設けられた貫通穴である。組立工程は実施の形態１と同様である。このような構造の扉に発泡断熱材１５を充填し、発泡させると図２６に示すような状態となる。すなわち、パネル１０と容器９との隙間に発泡断熱材１５が貫通穴２２から漏れ出し、発泡断熱材１５が硬化することでパネル１０と容器９とが密着する。
【００３３】
以上のように本実施の形態の扉は、貫通穴２２から漏れ出した発泡断熱材１５がパネル１０と容器９とを密着することができるので、パネル１０の浮きを低減することができる。これによって外観品位を向上させることができる。また、容器９に貫通穴２２を複数個設置したことにより、扉を軽量化できる。また容器９の樹脂使用量を削減できる。
【００３４】
なお、発泡断熱材１５のウレタンは、ステンレス鋼板、化粧鋼板や樹脂化粧板等のパネル１０とも接着性は十分あるが、接着性を高めたい場合には接着面の表面処理を施してもよい。表面処理にはコロナ放電処理等の表面活性を高くする処理、薬品（プライマー）による処理や、アンカーとなるような物理的な構造（粗面化や突起物）形成などがある。一方、ポリプロピレンやフッ素樹脂などの一般的に表面活性が低い樹脂をパネル１０に使用した場合にはウレタンとは接着しにくいので表面処理の対策が必要である。
【００３５】
実施の形態５．
実施の形態１乃至４ではパネル１０の上部１０ａ及び下部１０ｂの端面が断面になっている場合で説明したが、パネル１０の上部１０ａ及び下部１０ｂに折り曲げ縁部を設けることで、断面を見えなくすることができ、扉の外観品位を向上させることができる。以下に説明する。
【００３６】
図２７及び図２８はこの発明の実施の形態５におけるパネルの斜視図及び扉の縦断面図であり、図において、同一の記号は同一のものを示す。図２８において発泡断熱材１５は省略している。２３はパネル１０の上部１０ａ及び下部１０ｂに設けられた折り曲げ縁部である。折り曲げ縁部２３は前面体９ｃを覆う部分の上端および下端に位置し、並びに左右の側面体９ｄを覆う部分の上端および下端に位置する。また折り曲げ縁部２３は左右の側面体９ｄを覆う部分の上端および下端に位置する。左右の側面体９ｄを覆う部分の上端および下端は、言い換えると左右の側面体９ｄと上の側面体９ａとの接続部分の端部並びに左右の側面体９ｄと下の側面体９ｂとの接続部分の端部である。２４はパネル１０の折り曲げ縁部２３が嵌合する容器９の溝部である。溝部２４は図２８に示すように前面体９ｃの上部及び下部に設置される。また左右の側面体９ｄにおける上部から下部への断面は図示しないが、左右の側面体９ｄの上部及び下部に溝部２４が設置される。
【００３７】
以上のように本実施の形態の扉は、パネル１０の上部１０ａ及び下部１０ｂに折り曲げ縁部２３を設けることで、断面を見えなくすることができ、扉の外観品位を向上させることができる。特に鉄製のパネル１０で断面が錆びてしまった場合にも、錆びが見えることがなく、外観品位が長く保持できる利点もある。また、パネル１０の上部１０ａ及び下部１０ｂに折り曲げ縁部２３を設けたのでパネル１０の曲げ剛性が強くなり扉の強度が向上する。
【００３８】
尚、折り曲げ縁部２３の高さを低くすれば、溝部２４を設けなくても構わない。折り曲げ縁部２３が前面体９ｃを覆う部分の上部１０ａ及び下部１０ｂだけにあっても、最も目立つ前面から見た外観品を良くすることがでる。また、パネル１０の上部１０ａ及び下部１０ｂに１回折りの折り曲げ縁部２３を設けた場合で説明したが、コ字形に折り返した縁部を設けても構わない。図２９は本実施の形態における他のパネルの斜視図であり、図３０は図２９のＦ−Ｆで切断した断面図である。２５はパネル１０の上部１０ａ及び下部１０ｂに設けた容器９の側にコ字形に折り返した縁部である。パネル１０が鉄製の場合には、パネル１０の上部１０ａ及び下部１０ｂからパネル１０の断面を離なしてパネル１０の裏側に配置することができるので、パネル１０の断面が錆びたとしても見えることはなく、扉の外観品位を永く保持することができる。
【００３９】
実施の形態６．
実施の形態１乃至５では容器９に山部及び谷部を設けない場合で説明したが、容器９に山部及び谷部を設けて容器９の突出部９ｅにパネル１０を当接するようにすることで、パネル１０の上部１０ａ及び下部１０ｂと容器９の突出部９ｅとの隙間を無くすことができ、扉の外観品位を向上させることができる。以下に説明する。
【００４０】
図３１はこの発明の実施の形態６における容器の斜視図である。図３２は図３１のＧ−Ｇで切断した断面図であり、図において、同一の記号は同一のものを示す。２６は容器９の前面体９ｃ及び左右の側面体９ｄに設けられた山部であり、２７は容器９の前面体９ｃ及び左右の側面体９ｄに設けられた谷部である。山部２６及び谷部２７は前面体９ｃから左右の側面体９ｄに連続している。この山部２６及び谷部２７で蛇腹を構成することによって、容器９は上の側面体９ａから下の側面体９ｂ方向に伸縮可能にできる。次に動作・作用について説明する。
【００４１】
図３３は図３２と同じ断面での動作・作用を説明する図である。容器９の幅Ｘを、容器９の製造公差も含めて、パネル１０の幅Ｙの製造公差内の最小寸法と同一か更に小さく設計する。このような設計とすると、パネル１０の幅Ｙが容器９の幅Ｘよりも必ず大きくなる。容器９の突出部９ｅはパネル１０が前面体９ｃを覆う部分の上側および下側に設けられているので、パネル１０を容器９に組み付けるとパネル１０の上部１０ａ及び下部１０ｂと容器９の突出部９ｅとが当接し、容器９の幅Ｘは山部２６及び谷部２７が伸びながら幅Ｙまで増大する。また左右の側面体９ｄにおける上部から下部への断面は図示しないが、容器９の突出部９ｅはパネル１０が前面体９ｃを覆う部分の上側および下側に設けられているので、パネル１０の側面１０ｄの上部１０ａ及び下部１０ｂと容器９の突出部９ｅが当接する。パネル１０の組立工程は実施の形態１で示した工程または実施の形態２で示した工程が適用できる。実施の形態２で示した工程の場合は、発泡断熱材１５が発泡完了した後で固化する前にパネル１０を取り付ければよい。
【００４２】
以上のように本実施の形態の扉は、容器９に山部２６及び谷部２７からなる蛇腹を設けて容器９の突出部９ｅにパネル１０を当接するようにすることで、パネル１０の上部１０ａ及び下部１０ｂと容器９の突出部９ｅとの隙間が無くなり、扉の外観品位を向上させることができる。
【００４３】
また、図３４に示すとおり、容器９の幅Ｚを、容器９の製造公差も含めて、パネル１０の幅Ｗの製造公差内の最大寸法と同一か更に大きく設計してもよい。実施の形態１で示した組立工程の場合は、発泡断熱材１５を充填する工程で容器９を外側から治具で縮めるようにして、発泡断熱材１５が発泡完了し、固化した後に治具を外せばよい。実施の形態２で示した組立工程の場合は、発泡断熱材１５が発泡完了した後で固化する前にパネル１０を取り付けて、容器９を外側から治具で縮めるようにすればよい。
【００４４】
尚、実施の形態１乃至６では容器９と蓋１３が分離していた場合で説明したが、図３５に示すように容器９と蓋１３を一体にしても構わない。容器９と蓋１３を一体にすることで、容器９と蓋１３を１回の成形で製造することができ、製造コストを低減することができる。
【図面の簡単な説明】
【００４５】
【図１】この発明の実施の形態１における扉を備えた冷蔵庫の斜視図である。
【図２】実施の形態１における扉を取り付けた貯蔵室を示す斜視図である。
【図３】図２のＡ−Ａで切断した断面図である。
【図４】図２のＢ−Ｂで切断した断面図である。
【図５】実施の形態１における扉の分解図である。
【図６】実施の形態１におけるパネルの取り付け工程を示す図である。
【図７】実施の形態１における発泡断熱材の原液の供給工程を示す図である。
【図８】実施の形態１における蓋を設置する工程を示す図である。
【図９】実施の形態１における発泡断熱材の発泡完了後の扉である。
【図１０】実施の形態１における扉に付ける部品を示す図である。
【図１１】実施の形態１における引き出しを示す図である。
【図１２】図１１のＣ−Ｃで切断した断面図である。
【図１３】実施の形態１における扉の他のパネル取り付け構造を示す図である。
【図１４】この発明の実施の形態２における扉の斜視図である。
【図１５】図１４のＤ−Ｄで切断した断面図である。
【図１６】図１４のＥ−Ｅで切断した断面図である。
【図１７】実施の形態２における発泡断熱材の原液の供給工程を示す図である。
【図１８】実施の形態２における蓋を設置する工程を示す図である。
【図１９】実施の形態２における発泡断熱材の発泡完了後の扉である。
【図２０】実施の形態２におけるパネルの取り付け工程を示す図である。
【図２１】実施の形態２におけるパネル取り付け完了後の扉である。
【図２２】この発明の実施の形態３における扉の横断面図である。
【図２３】実施の形態３における他の扉の縦断面図である。
【図２４】実施の形態３における他の扉の横断面図である。
【図２５】この発明の実施の形態４における扉の分解図である。
【図２６】実施の形態４における扉の横断面図である。
【図２７】この発明の実施の形態５におけるパネルの斜視図である。
【図２８】実施の形態５における扉の縦断面図である。
【図２９】実施の形態５における他のパネルの斜視図である。
【図３０】図２９のＦ−Ｆで切断した断面図である。
【図３１】この発明の実施の形態６における容器の斜視図である。
【図３２】図３１のＧ−Ｇで切断した断面図である。
【図３３】実施の形態６の動作・作用を説明する図である。
【図３４】実施の形態６における他の容器の動作・作用を説明する図である。
【図３５】本発明に使用できる他の容器を示す図である。
【符号の説明】
【００４６】
９  容器、９ａ  上の側面体、９ｂ  下の側面体、９ｃ  前面体、９ｄ  左右の側面体、９ｅ  突出部、９ｆ  係止部、９ｇ  背面体、１０  パネル、１０ａ  上部、１０ｂ  下部、１０ｅ  端部、１０ｆ  係止部、１３  蓋、１３ａ  係止部、１５  発泡断熱材、１６  開口部、２２  貫通穴、２３  折り曲げ縁部、２４  溝部、２５  コ字形に折り返した縁部、２６  山部、２７  谷部。
【図１】
2008170022.tif 000003
【図２】
2008170022.tif 000004
【図３】
2008170022.tif 000005
【図４】
2008170022.tif 000006
【図５】
2008170022.tif 000007
【図６】
2008170022.tif 000008
【図７】
2008170022.tif 000009
【図８】
2008170022.tif 000010
【図９】
2008170022.tif 000011
【図１０】
2008170022.tif 000012
【図１１】
2008170022.tif 000013
【図１２】
2008170022.tif 000014
【図１３】
2008170022.tif 000015
【図１４】
2008170022.tif 000016
【図１５】
2008170022.tif 000017
【図１６】
2008170022.tif 000018
【図１７】
2008170022.tif 000019
【図１８】
2008170022.tif 000020
【図１９】
2008170022.tif 000021
【図２０】
2008170022.tif 000022
【図２１】
2008170022.tif 000023
【図２２】
2008170022.tif 000024
【図２３】
2008170022.tif 000025
【図２４】
2008170022.tif 000026
【図２５】
2008170022.tif 000027
【図２６】
2008170022.tif 000028
【図２７】
2008170022.tif 000029
【図２８】
2008170022.tif 000030
【図２９】
2008170022.tif 000031
【図３０】
2008170022.tif 000032
【図３１】
2008170022.tif 000033
【図３２】
2008170022.tif 000034
【図３３】
2008170022.tif 000035
【図３４】
2008170022.tif 000036
【図３５】
2008170022.tif 000037